(57)【要約】【課題】庇板の基端部とその基端部を保持する保持枠との間に庇板の保持枠からの抜けを阻止する構造を設けて庇板が脱落しないようにする。【解決手段】庇１は建物の外壁面に取り付けられる保持枠３と、保持枠３に基端部が保持される庇板２とから成る。保持枠３は庇板２の幅に応じた長さを有する上下一対の突壁３４，３５を有し、上下の突壁３４，３５間に庇板２の基端部が差し込まれる前面開放の保持溝３１が形成されている。庇板２の基端部には、上面と下面の少なくとも一方に板面より突出する突部２４が形成されるとともに、保持枠３の上下の突壁３４，３５の少なくとも一方には、庇板２の板面に向けて突出する抜止めが、庇板２の突部２４の位置と保持溝３１の溝開口部３１ａとの間に形成されている。【選択図】図３
2007040087.tif 000002
【特許請求の範囲】
【請求項１】
建物の外壁面に取り付けられる保持枠と、前記保持枠に基端部が保持される庇板とから成り、前記保持枠は、庇板の幅に応じた長さを有する上下一対の突壁を有し、上下の突壁間に庇板の基端部が差し込まれる前面開放の保持溝が形成されており、前記庇板の基端部には、上面と下面の少なくとも一方に板面より突出する突部が形成されるとともに、前記保持枠の上下の突壁の少なくとも一方には、庇板の板面に向けて突出する抜止めが、前記庇板の突部位置と保持溝の溝開口部との間に形成されて成る庇。
【請求項２】
前記突部は、抜止めに向けて突出する突出部を備え、前記突出部と庇板との間に係合凹部が形成され、前記抜止めは、その先端部が前記突部の突出部に引っ掛かるように前記係合凹部の方向へ鉤状に曲げられている請求項１に記載された庇。
【請求項３】
前記保持枠の少なくとも一方の突壁には、前記保持溝内に向けてねじ部材をねじ込むための複数のねじ孔が所定の間隔で上下に貫通して形成されており、前記保持溝内には、庇板の基端部の上面と下面の少なくとも一方に重ねられる加圧板が挿入されるとともに、各ねじ孔にねじ込まれかつ保持溝内に突出させた各ねじ部材の先端により前記加圧板を押圧して庇板の基端部を保持している請求項１に記載された庇。
【請求項４】
前記ねじ孔は、所定の間隔で２個ずつ前後位置にそれぞれ形成されている請求項３に記載された庇。
【請求項５】
前記庇板は板ガラス製であり、庇板の板面に金属などの板材をそれぞれ接着することにより前記突部が形成されている請求項１に記載された庇。
【請求項６】
請求項１〜５のいずれかに記載された庇であって、上端部が建物の外壁面に支持され下端部が庇板に連結される少なくとも２本のアームをさらに備えて成る庇。
【発明の詳細な説明】
【技術分野】
【０００１】
この発明は、建物の外壁面より張り出すように設けられる庇に関する。
【背景技術】
【０００２】
従来、この種の庇として、庇板の基端部を建物の外壁面に取り付けられた支持具により保持するとともに、庇板の少なくとも２箇所をアームにより吊持するようにしたものがある（例えば、特許文献１参照）。各アームは、上端部が建物の外壁面に、下端部が庇板の板面に、それぞれ自在継ぎ手を介して接続されている。
【０００３】
【特許文献１】特開２００３−１６０９９３号公報
【発明の開示】
【発明が解決しようとする課題】
【０００４】
上記した構成の庇では、庇板に風圧などの外圧が上向きに作用すると、アームの上端部が支点となり、前記外圧の水平分力が庇板を支持具より引き抜く力として作用するため、庇板が脱落するおそれがある。
出っ張りが小さい庇については、アームを用いずに庇板の基端部を保持するだけの構造も考えられるが、庇板の基端部の保持構造にがたつきがあったり、経時的な緩みが生じたりすると、庇板が抜け落ちるおそれがある。
【０００５】
この発明は、上記した問題に着目してなされたもので、庇板の基端部とその基端部を保持する保持枠との間に庇板の保持枠からの抜けを阻止する構造を設けることにより、庇板が脱落するおそれがない安全な庇を提供することを目的とする。
【課題を解決するための手段】
【０００６】
この発明による庇は、建物の外壁面に取り付けられる保持枠と、前記保持枠に基端部が保持される庇板とから成る。前記保持枠は、庇板の幅に応じた長さを有する上下一対の突壁を有し、上下の突壁間に庇板の基端部が差し込まれる前面開放の保持溝が形成されている。前記庇板の基端部には、上面と下面の少なくとも一方に板面より突出する突部が形成されるとともに、前記保持枠の上下の突壁の少なくとも一方には、庇板の板面に向けて突出する抜止めが、前記庇板の突部位置と保持溝の溝開口部との間に形成されている。
【０００７】
この発明の上記した構成において、突部は庇板の基端部の上面または下面の一方に形成してもよく、上面と下面の両方に形成してもよい。突部を庇板の上面に形成する場合は上側の突壁に抜止めを形成する。突部を庇板の下面に形成する場合は下側の突壁に抜止めを形成する。突部を庇板の上面と下面に形成する場合は上側の突壁と下側の突壁とに抜止めをそれぞれ形成する。
【０００８】
なお、突部は庇板の中心線に対して左右対称位置にそれぞれ１カ所ずつ設けるのが望ましいが、これに限られるものではなく、例えば庇板の全幅にわたって設けることもできる。また、突部の形状は問わないが、抜止めに突き当たる高さを有することが必要である。
保持枠に形成される抜止めは、庇板の板面に向けて突き出るものであればその形状は問わない。保持枠を押出加工により製作する場合、抜止めは保持枠の全長にわたって保持枠と一体に設けられることになるが、これを部分的に設けたり、外付けにより形成したりすることも可能である。
【０００９】
上記した構成の庇を建物の外壁面に取り付けるには、庇板の基端部を建物の外壁面に取付け固定された保持枠の保持溝内に保持枠の開放された側端面より挿入して保持する。保持枠による庇板の基端部の保持構造にがたつきがあったり、経時的な緩みが生じたりしても、前記庇板の抜けに対して突部が抜止めに突き当たるので、庇板の基端部が保持枠の保持溝より抜け出ることがなく、庇板の脱落が防止される。
【００１０】
この発明の好ましい一実施態様においては、前記突部は、抜止めに向けて突出する突出部を備え、前記突出部と庇板との間に係合凹部が形成されている。また、前記抜止めは、その先端部が前記突部の突出部に引っ掛かるように前記係合凹部の方向へ鉤状に曲げられている。
この実施態様によれば、前記抜止めの鉤状の先端部が突部に形成された突出部に引っ掛かるので、保持枠の保持溝が拡開するのが阻止されることと相俟って、庇板の基端部が保持枠の保持溝より抜け出るのが確実に阻止される。
【００１１】
この発明の好ましい他の実施態様においては、前記保持枠の少なくとも一方の突壁には、前記保持溝内に向けてねじ部材をねじ込むための複数のねじ孔が所定の間隔で上下に貫通して形成されており、前記保持溝内には、庇板の基端部の上面と下面の少なくとも一方に重ねられる加圧板が挿入されるとともに、各ねじ孔にねじ込まれかつ保持溝内に突出させた各ねじ部材の先端により前記加圧板を押圧して庇板の基端部を保持している。
この実施態様によれば、上下の突壁の少なくとも一方に形成された複数のねじ孔にねじ部材をそれぞれねじ込み、各ねじ部材の先端を保持溝内に突出させて加圧板に突き当てると、加圧板はねじ部材により押圧されて庇板の基端部が強固に保持される。
なお、加圧板は庇板の板面に接着することもでき、この場合は加圧板を前記した突部として機能させることができる。
【００１２】
この発明の上記した実施態様において、前記ねじ孔は、所定の間隔で２個ずつ前後位置にそれぞれ形成してもよい。この実施態様によれば、加圧板は前後位置がねじ部材により強固に押圧されるため、庇板の基端部が保持枠の保持溝内に確実に保持される。
【００１３】
前記庇板としてアルミ板のような金属板を用いることもできるが、好ましい実施態様においては、庇板は板ガラスを用いて構成する。この場合に、板ガラス製の庇板の両端部の板面（例えば、両端部）に金属などの板材をそれぞれ接着することにより前記突部を形成する。前記板材としてアルミニウム、ステンレスなど、種々の材質のものを用いることができ、その形状は問わないが、抜止めに突き当たるように適当な厚みを有することが必要である。
【００１４】
出っ張りが小さい庇は、アームを用いずに庇板の基端部を保持枠により保持するだけの構造とすることができるが、出っ張りが大きい庇については、上端部が建物の外壁面に支持され下端部が庇板に連結される少なくとも２本のアームをさらに備えた構造のものとする。
【００１５】
上記した構成の庇では、庇板に風圧などの外圧が上向きに作用すると、アームの上端部が支点となり、前記外圧の水平分力が庇板を支持具より引き抜く力として作用するが、庇板の抜けに対して庇板の突部が抜止めに突き当たって引っ掛かるので、庇板の基端部が保持枠の保持溝より抜け出ることがなく、庇板の脱落が防止される。
【発明の効果】
【００１６】
この発明によると、保持枠による庇板の基端部の保持構造にがたつきがあったり、経時的な緩みが生じたりしても、或いは、庇板に風圧などの外圧が上向きに作用して庇板を保持枠より引き抜く力が作用しても、庇板の突部が抜止めに突き当たって引っ掛かるので、庇板の基端部が保持枠の保持溝より抜け出ることがなく、庇板の脱落を防止できる。
【発明を実施するための最良の形態】
【００１７】
図１および図２はこの発明の一実施例である庇１の外観を、図３および図４はその設置状態を、それぞれ示している。
図示例の庇１は、窓１０の上方に設置されたもので、建物の外壁面ａから張り出すように設けられる板ガラス製の庇板２と、建物の外壁面ａに取付け固定される金属製の保持枠３とから成る。前記庇板２は前記保持枠３によって基端部が支持され、水平ないしは水平に近い角度に保持されている。
なお、この発明の庇１は、窓１０の上方に限らず、建物の出入口やショーウインドウの上方など、種々の場所に設置することが可能である。
【００１８】
前記庇板２は、平面形状が横に長い矩形状の板ガラスをもって構成されており、２枚の透明な強化ガラス板２０，２１を強靱かつ無色透明なシート材２２を中間に挟んで一体接合されている。前記シート材２２の表裏面には粘着層が設けられ、この粘着層によって各強化ガラス板２０，２１とシート材２２とが接合されるので、たとえ強化ガラス板２０，２１が強い衝撃を受けて破損しても、その破片が散乱することがない。
【００１９】
前記保持枠３は、庇板２の幅Ｄと一致する長さを有するもので、庇板２の基端縁を支持する枠本体３０と、枠本体３０の前面の上半分を覆う蓋板４とを含んでいる。保持枠３の両側端面は開放され、各開放部は端板１１，１１で塞がれてねじ止めされている。
【００２０】
前記枠本体３０は、背板部３２の上端縁、高さ中央部、および下端縁にそれぞれ突壁３３，３４，３５（以下、「第１の突壁３３」、「第２の突壁３４」、「第３の突壁３５」という。）がそれぞれ突設されたものである。前記背板部３２には、第１の突壁３３と第２の突壁３４との間に、アンカーボルト７が挿入されるボルト挿通孔３６が一定距離毎に設けられている。
【００２１】
第２の突壁３４と第３の突壁３５との間には、庇板２の基端部が差し込まれる前面開放の保持溝３１が形成されている。この保持溝３１内には硬質ゴムなどの弾力性を有する帯板状の弾性体３７が前面の溝開口部３１ａより挿入されて装填され、保持溝３１の溝開口部３１ａはシリコンなどの帯板状のコーキング材３８により密封される。前記弾性体３７には庇板２の基端面を突き当て、衝撃や振動を吸収する。また、コーキング材３８は保持溝３１内への雨水の浸入を防止する働きがある。弾性体３７およびコーキング材３８は保持枠３の全長に一致する長さに設定されているが、弾性体３７は保持枠３より多少短くてもよい。
【００２２】
前記庇板２の基端部の両端部上面には、図５に示すように、板面より突出する突部２４，２４が形成され、一方、前記保持枠３の枠本体３０の第２の突壁３４には、庇板２の突部２４と保持溝３１の溝開口部３１ａとの間に、庇板２の板面に向けて突出する突起状の抜止め５が保持枠３の全長にわたって形成されている。
【００２３】
この実施例では、板ガラス製の庇板２の両端部の板面に接着剤２５によって金属製の板材２６をそれぞれ接着することにより庇板２の中心線に対して左右対称位置にそれぞれ突部２４，２４を形成している。なお、庇板２のガラス面と板材２６の金属面との接着は、接着剤２５としてのシリコンフィルムを加熱してガラス面と金属面との間に介装するなどの方法によって実現できる。
なお、図中、３９は保持枠３の第３の突壁３５の内面に形成した台部であり、この台部３９の平坦な上面に庇板２の基端部が支持されている。この台部３９は、上面の前後端縁が曲面３９ａ，３９ｂになっており、庇板２の下面に局所的な衝撃が加わらないようにしてある。
【００２４】
この実施例では、庇板２の上面にのみ突部２４を形成しているが、これに限らず、図６に示す実施例のように、庇板２の基端部の上面と下面に、それぞれ板面より突出する突部２４Ａ，２４Ｂを形成することもできる。この実施例では、枠本体３０の第２の突壁３４と第３の突壁３５に、庇板２の上面および下面に向けて突出する抜止め５Ａ，５Ｂを保持枠３の全長にわたってそれぞれ形成する。
【００２５】
第２の突壁３４には、図７に示すように、前記保持溝３１内に向けてねじ６をねじ込むための複数のねじ孔６１が所定の間隔で上下に貫通して形成されている。前記保持溝３１内には、庇板２の基端部の上面に重ねられる帯板状の加圧板６２が挿入配備されている。前記加圧板６２は鉄板やステンレス板などで形成され、庇板２の基端部上面の前記突部２４，２４間に配置される。
第２の突壁３４の各ねじ孔６１にねじ込まれかつ保持溝３１内に突出させた各ねじ６の先端により前記加圧板６２が押圧され、庇板２の基端部が加圧板６２と台部３９との間で強固に保持される。この実施例では、ねじ６として端面に六角穴が形成された軸状の止めねじ６ａを用いてあり、この止めねじ６ａを六角レンチを用いてねじ込んだ後、スプリングワッシャ６ｂおよびナット６ｃを止めねじ６ａ上に装着することにより、ねじの緩みを防止している。
なお、加圧板６２は庇板２の上面や下面に接着してもよく、この場合は加圧板６２を前記突部２４Ａ，２４Ｂとして機能させることができる。
【００２６】
前記蓋板４は、下端部が枠本体３０の第２の突壁３４の先端縁に支持され、上端部が第１の突壁３３の上面に係合支持されている。蓋板４の下端部の内面には第２の突壁３４の先端縁に係合する突状部４１が形成されている。
なお、図５および図６において、７３は外壁部ａと保持枠３との隙間や枠本体３０と蓋板４との隙間に雨水が浸入するのを防止するためのコーキング材である。
【００２７】
図８は、この発明の他の実施例を示している。図示例の庇１も、庇板２と保持枠３とから成るもので、基本的な構成は上記した実施例の構成と同様であり、ここでは対応する構成に同一の符号を付することで説明を省略する。
【００２８】
前記庇板２の基端部の両端部上面および下面には、板面より突出する突部２４Ａ，２４Ｂがそれぞれ形成され、一方、前記保持枠３の枠本体３０の第２の突壁３４および第３の突壁３５には、庇板２の各突部２４Ａ，２４Ｂと保持溝３１の溝開口部３１ａとの間に、庇板２の板面に向けて突出する突起状の抜止め５Ａ，５Ｂが保持枠３の全長にわたってそれぞれ形成されている。
前記の各突部２４Ａ，２４Ｂは、抜止め５Ａ，５Ｂに向けて突出する突出部２４ａ，２４ｂを備えており、各突出部２４ａ，２４ｂと庇板２との間にそれぞれ係合凹部２４ｃ，２４ｄが形成されている。一方、前記の各抜止め５Ａ，５Ｂは、その先端部が前記突出部２４ａ，２４ｂに引っ掛かるように各係合凹部２４ｃ，２４ｄの方向へ鉤状に曲げられて屈曲部５０Ａ，５０Ｂが形成されている。この屈曲部５０Ａ，５０Ｂを係合凹部２４ｃ，２４ｄへそれぞれ係入することで、庇板２の基端部が保持枠３の保持溝３１より抜け出るのが確実に阻止される。
【００２９】
図９は、この発明のさらに他の実施例を示している。この実施例は、庇板２の基端部の上面および下面に加圧板６２Ａ，６２Ｂを全幅にわたって接着することにより、この加圧板６２Ａ，６２Ｂを突部２４として機能させるようにしたものである。各加圧板６２Ａ，６２Ｂは、抜止め５Ａ，５Ｂに向けて突出する突出部２４ａ，２４ｂを加圧板６２Ａ，６２Ｂの全長にわたって備えており、各突出部２４ａ，２４ｂと庇板２との間にそれぞれ係合凹部２４ｃ，２４ｄが形成されている。一方、各抜止め５Ａ，５Ｂは、その先端部が前記突出部２４ａ，２４ｂに引っ掛かるように各係合凹部２４ｃ，２４ｄの方向へ鉤状に曲げられて屈曲部５０Ａ，５０Ｂが形成されている。この屈曲部５０Ａ，５０Ｂを係合凹部２４ｃ，２４ｄへそれぞれ係入することで、庇板２の基端部が保持枠３の保持溝３１より抜け出るのが確実に阻止される。
【００３０】
保持枠３の第２の突壁３４には、前記保持溝３１内に向けてねじ６をねじ込むための複数のねじ孔６１，６１が所定の間隔で２個ずつ前後位置にそれぞれ上下に貫通して形成されている。
また、前記加圧板６２Ａには、各ねじ６がねじ込まれる位置に合わせて凹溝６２Ｃ，６２Ｃが形成されており、第２の突壁３４の各ねじ孔６１より突出した各ねじ６の先端が各凹溝６２Ｃ内へ進入して加圧板６２Ａを押圧することにより、庇板２の基端部が上下の加圧板６２Ａ，６２Ｂ間で強固に保持される。
【００３１】
図１０は、この発明のさらに他の実施例を示すもので、上記した実施例の構成に加えて、庇板２の先端縁に装着される縁枠９と、縁枠９上の２箇所を支持して庇板２吊持する２本のアーム８，８とを備えている。各アーム８は、長さ調節が可能な構成のものであり、金属製パイプより成るアーム本体８０の一端にはねじ軸８２を介して建物の外壁面への取付金具８４が、他端にはねじ軸８１を介して縁枠９への取付金具８３が、それぞれ取り付けられている。前記縁枠９は、庇板２の先端縁が挿入される取付溝９０と、２個の位置決め部材９５を長さ方向へ摺動自由に保持する摺動溝９１とが全長にわたって形成されたもので、各位置決め部材９５，９５に各アーム８の下端部の取付金具８３がそれぞれ連結される。
【００３２】
上記した構成の庇１を建物の外壁面ａに取り付けるには、庇板２の基端部を建物の外壁面ａに取付け固定された保持枠３の保持溝３１内に保持枠３の一端より差し込むとともに、庇板２の基端部の上面上に加圧板６２を重ねて配置する。つぎに、第２の突壁３４に形成された複数のねじ孔６１にねじ６をそれぞれねじ込み、各ねじ６の先端を保持溝３１内に突出させて加圧板６２の上面に突き当てる。かくして、加圧板６２はねじ６により押圧されて庇板２の基端部が強固に保持される。
【００３３】
図１に示す実施例において、保持枠３による庇板２の基端部の保持構造にがたつきがあったり、経時的な緩みが生じたりしても、前記庇板２の抜けに対して庇板２の突部２４，２４が抜止め５に突き当たって引っ掛かるので、庇板２の基端部が保持枠３の保持溝３１より抜け出ることがなく、庇板２の脱落が防止される。
【００３４】
また、図８および図９に示す実施例では、前記庇板２の抜けに対して庇板２の突部２４Ａ，２４Ｂの突出部２４ａ，２４ｂに抜止め５Ａ，５Ｂの屈曲部５０Ａ，５０Ｂが引っ掛かるので、保持枠３の保持溝３１が拡開するのが阻止されることと相俟って、庇板２の基端部が保持枠３の保持溝３１より抜け出るのが確実に阻止され、庇板２の脱落が防止される。
【００３５】
さらに、図１０に示す実施例では、庇板２に風圧などの外圧が上向きに作用すると、アーム８，８の上端部が支点となり、前記外圧の水平分力が庇板を保持枠３より引き抜く力として作用するが、庇板２の突部２４，２４が抜止め５に突き当たって引っ掛かるので、庇板２の基端部が保持枠３の保持溝３１より抜け出ることがなく、庇板の脱落が防止される。
【図面の簡単な説明】
【００３６】
【図１】この発明の一実施例である庇の外観を示す斜視図である。
【図２】図１の庇の平面図である。
【図３】図２のＡ−Ａ線に沿う断面図である。
【図４】図２のＢ−Ｂ線に沿う断面図である。
【図５】図３の拡大断面図である。
【図６】他の実施例の拡大断面図である。
【図７】図４の拡大断面図である。
【図８】この発明の他の実施例を示す拡大断面図である。
【図９】この発明のさらに他の実施例を示す拡大断面図である。
【図１０】この発明のさらに他の実施例を示す斜視図である。
【符号の説明】
【００３７】
１    庇
２    庇板
３    保持枠
５，５Ａ，５Ｂ  抜止め
６    ねじ
８    アーム
２４，２４Ａ，２４Ｂ  突部
２４ａ，２４ｂ  突出部
２４ｃ，２４ｄ  係合凹部
２５  接着剤
２６  板材
３１  保持溝
３４，３５  突壁
６１  ねじ孔
６２  加圧板
【図１】
2007040087.tif 000003
【図２】
2007040087.tif 000004
【図３】
2007040087.tif 000005
【図４】
2007040087.tif 000006
【図５】
2007040087.tif 000007
【図６】
2007040087.tif 000008
【図７】
2007040087.tif 000009
【図８】
2007040087.tif 000010
【図９】
2007040087.tif 000011
【図１０】
2007040087.tif 000012